(57)【要約】      （修正有）【課題】電池寿命を短くすることなく低温時の誤報を防止するとともに、緊急の通報を可能とする無線送信機を提供する。【解決手段】無線送信機である緊急通報装置１は、電池切れの通報には気温の低下に伴う誤報があるので、無線送信機内の温度を計測し、予め設定した温度以下の場合、発振周波数の偏移を発生させ、通報先２で誤報を受信できないようにする。その場合にも、通報ボタン１０９を押下することにより発振周波数偏移を無効にして、通報先での情報受信を可能とする。【選択図】図１
2019033459.tif 000002
【特許請求の範囲】
【請求項１】
電池残量に係る電池切れ情報を通知する機能を備え、定期的または非定期に所定の情報を送信する所定の電池で動作する無線送信機であって、
定期的な情報送信を起動するリアルタイムクロックと非定期的な情報送信を起動する通報ボタンとを備え、
前記電池の出力電圧が予め設定した閾値以下か否かを定期的または非定期に検出する電池電圧低下検出手段と、前記電池電圧低下検出手段が前記電池の出力電圧が前記閾値以下であることを検出した場合に前記電池残量に係る電池切れ情報を含む無線信号を送信する緊急通報／電池切れ通報手段と、機内の温度が予め設定した温度以下の場合、発振周波数の偏移を発生する周波数変動発生手段と、通報ボタンを押下することにより前記発振周波数変動発生手段を無効にする周波数偏移リセット手段と、
を有し、
機内温度が予め定められた所定の温度範囲外であった場合に、前記周波数変動発生手段により周波数偏移が発生し、
機内温度が予め定められた所定の温度範囲であった場合に、前記周波数変動発生手段により周波数偏移が発生せず、
前記周波数変動発生回路による周波数の偏移が発生した状態で、自無線送信機が備える前記所定の情報の送信に係る通報ボタンが押下された場合、
周波数偏移リセット手段を起動し、周波数偏移をなくすことを特徴とする低温時の電池切れ誤報防止機能を有する無線送信機。
【発明の詳細な説明】
【技術分野】
【０００１】
本発明は、電池残量が低下すると電池切れ信号を送出する機能を備え、且つ緊急通報用の通報ボタンを有する無線送信機に関する。
【背景技術】
【０００２】
従来、無線送信機の電池切れによる緊急通報の未送信を防ぐため、無線送信機の電池の出力電圧を監視し、出力電圧が閾値以下になると電池切れの通報を行う技術がある。しかしこの技術は、夜間や冬場など、気温の低下に伴う電池電圧が低下すると、電池容量が十分あるにも関わらず誤報をしてしまうという問題があった。
【０００３】
上記問題を解決する技術として、特許文献１は、電池の温度を計測し、低温時は増幅器のアイドル電流を上げ、発生した熱を電池に伝えることにより電池温度を上昇させ、気温の低下による誤報を防ぐ技術が開示されている。
【０００４】
しかしながら、特許文献１の技術では、増幅器のアイドル電流を上げるためアイドル時の電池の消費が増える。そのため、電池寿命が短くなってしまうという問題がある。
【先行技術文献】
【特許文献】
【０００５】
【特許文献１】特開２０１２−１２４７２７号公報
【発明の概要】
【発明が解決しようとする課題】
【０００６】
電池寿命を短くすることなく低温時の誤報を防止する無線送信機を提供することにある。
【課題を解決するための手段】
【０００７】
本発明は上記課題に鑑みなされてもので、電池残量に係る電池切れ情報を通知する機能を備え、定期的または非定期に所定の情報を送信する所定の電池で動作する無線送信機であって、定期的な情報送信を起動するリアルタイムクロックと非定期的な情報送信を起動する通報ボタンとを備え、前記電池の出力電圧が予め設定した閾値以下か否かを定期的または非定期に検出する電池電圧低下検出手段と、前記電池電圧低下検出手段が前記電池の出力電圧が前記閾値以下であることを検出した場合に前記電池残量に係る電池切れ情報を含む無線信号を発信する緊急通報／電池切れ通報手段と、機内の温度が予め設定した温度以下の場合、発振周波数の偏移を発生する周波数変動発生手段と、通報ボタンを押下することにより前記発振周波数変動発生手段を無効にする周波数偏移リセット手段と、を有し、機内温度が予め定められた所定の温度範囲外であった場合に、前記周波数変動発生手段により周波数偏移が発生し、機内温度が予め定められた所定の温度範囲であった場合に、前記周波数変動発生手段により周波数偏移が発生せず、前記周波数変動発生手段による周波数の偏移が発生した状態で、自無線送信機が備える前記所定の情報の送信に係る通報ボタンが押下された場合、周波数偏移リセット手段を起動し、周波数偏移をなくすことを特徴とする低温時の電池切れ誤報防止機能を有する。
【発明の効果】
【０００８】
通報装置の送信機が備える通報部に、温度変化による偏移量が大きい部品を使用した周波数変動部を搭載し、所定の温度範囲外になると発振周波数の偏移が大きくなるように定数設定を行い、低温時に電池切れ通報が送出された場合でも、通報先が受信できないようにする誤報防止機能を実現する。そのため、電池寿命を短くすることなく低温時の電池切れ誤報を無くすことができる。
【０００９】
なお、通報ボタンに搭載される電源供給用の起動スイッチと周波数偏移をリセットするスイッチが連動するよう実装する。具体的には、緊急通報時に通報ボタンを押下すると周波数変動部にあって発振回路を構成する部品であるサーモスタットをキャンセル（ショート）し、発振回路から一時的に切り離すことにより発振周波数が低温の影響により偏移するのを防止する。これにより、低温時においても、通報先の受信周波数を用いて送信し、緊急の通報を可能とする。
【図面の簡単な説明】
【００１０】
【図１】本発明の緊急通報装置１を含む緊急通報システムの全体構成図および緊急通報装置１の機能ブロック図である。
【図２】緊急通報装置１の周波数変動部１０５及び緊急通報／電池切れ通報部１０６の詳細図である。
【図３】緊急通報装置１の動作フローチャートである。
【発明を実施するための形態】
【００１１】
以下、本発明を実施する形態について、図面を用いて説明する。
【００１２】
図１および図２に示すように、本発明の緊急通報システムは、患者や高齢者が病院や介護施設において看護師や介護士を呼び出すための緊急通報装置１（例えば、ナースコールの子機としての無線送信機）と、病院や介護施設などに設置され、前記緊急通報装置１からの呼出しに応じて看護師や介護士へ報知する通報先２（例えば、ナースコールセンタである無線受信機）とから構成される。
【００１３】
次に緊急通報装置１の機能ブロック図である図１および図２について説明する。
緊急通報装置１は、電池１０１と、レギュレータＩＣ１０２と、電池電圧低下検出部１０３と、ＣＰＵ１０４と、周波数変動部１０５と、緊急通報／電池切れ通報部１０６と、ＲＴＣ（Ｒｅａｌ  Ｔｉｍｅ  Ｃｌｏｃｋ）１０７と、トランジスタスイッチ１０８と、通報ボタン１０９と、抵抗１１０−１、１１０−２，１１０−３と、バリキャップダイオード１１１と、サーモスタット１１２と、水晶振動子１１３と、インダクタンス１１４と、コンデンサ１１５−１、１１５−２と、トランジスタ１１６と、アンテナ１１７から構成される。
【００１４】
電池１０１は、緊急通報装置１の各ブロックに電源を供給する電池である。
レギュレータＩＣ１０２、ＲＴＣ１０７及びトランジスタスイッチ１０８には、電池１０１より電源が常時供給されている。
【００１５】
レギュレータＩＣ１０２は、ＲＴＣ１０７またはトランジスタスイッチ１０８の要求に従って、電池１０１から電池電圧低下検出部１０３、ＣＰＵ１０４、周波数変動部１０５及び緊急通報／電池切れ通報部１０６へ電源の供給を行う。
【００１６】
電池電圧低下検出部１０３は、レギュレータＩＣ１０２から電源の供給を検知すると電池１０１の出力電圧をモニタして、予め設定した閾値以下になると電池残量が少なくなったと判断し、ＣＰＵ１０４に通知し、ＣＰＵ１０４は、電池電圧が低下したことを周波数変動部１０５を介して、緊急通報／電池切れ通報部１０６へ通知する。
【００１７】
周波数変動部１０５は、抵抗１１０−１、１１０−２とバリキャップダイオード１１１とサーモスタット１１２で構成されている。周波数変動部１０５は、周囲温度が所定の温度以下になったときに、送信用キャリア周波数の発振回路を構成する部品の一部を切り離して、緊急通報／電池切れ通報部１０６から送出される通報信号のキャリア周波数を通報先２の受信可能周波数（以下、単に「通報先の周波数」と称する）から偏移させ、通報先２が受信できないようにする。
【００１８】
緊急通報／電池切れ通報部１０６は、抵抗１１０−３、水晶振動子１１３、インダクタンス１１４−１、１１４−２及び１１４−３、コンデンサ１１５−１及び１１５−２、トランジスタ１１６並びにアンテナ１１７で構成されている。
【００１９】
緊急通報／電池切れ通報部１０６は、電池電圧低下検出部１０３が検出した電池電圧が低下した情報をＣＰＵ１０４及び周波数変動部１０５を介して通知されると、電池切れ情報を含む通報信号を生成し、無線信号として送信する。また、緊急通報／電池切れ通報部１０６は、レギュレータＩＣ１０２から電源の供給を検知するとＣＰＵ１０４から周波数変動部１０５を介して送られてくる緊急通報情報をもとにキャリア周波を変調し、緊急通報信号を生成し、当該緊急通報信号を無線信号で通報先２に送信する。
【００２０】
ＲＴＣ１０７は、リアルタイムクロックであり、予め定められた時間を経過すると（例えば、1週間）、定期的にレギュレータＩＣ１０２を起動する。起動されたレギュレータＩＣ１０２は、電池電圧低下検出部１０３、ＣＰＵ１０４、周波数変動部１０５及び緊急通報／電池切れ通報部１０６に電源を供給する。
【００２１】
トランジスタスイッチ１０８は、例えばＰＮＰ型のトランジスタスイッチであり、通報ボタン１０９が押下されて、ベースの論理をＬにするとレギュレータＩＣ１０２を起動する。
【００２２】
通報ボタン１０９は、通報先２を呼出すためのボタンであり、非定期的にいつでも通報が行えるようにするためのものである。通報ボタン１０２は押されると周波数変動部１０５のサーモスタット１１２をショートするとともに、上述の通りトランジスタスイッチ１０８を起動するためのスイッチである。
【００２３】
次に図３のフローチャートを用いて緊急通報装置１の動作概要について説明する。
図３は、緊急通報装置１の動作概要フローチャートである。本フローは、緊急通報装置１のレギュレータＩＣ１０２、ＲＴＣ１０７及びトランジスタスイッチ１０８に電源が投入された状態から開始される。
【００２４】
緊急通報装置１のＲＴＣ１０７には、常時電源が供給されており、ＲＴＣ１０７は、予め定められた時間を経過するとレギュレータＩＣ１０２を起動する。また、通報ボタン１０９が押下された場合にも、レギュレータＩＣ１０２に起動がかけられる。
【００２５】
該レギュレータＩＣ１０２は、起動がかけられると緊急通報装置１内の各機能ブロック、電池電圧低下検出部１０３、ＣＰＵ１０４，周波数変動部１０５および緊急通報／電池切れ通報部１０６に電池１０１の電源を供給する。電源供給が開始されると電池電圧低下検出部１０３は、電池１０１の出力電圧の監視を開始する（Ｓ１０１）。
【００２６】
次に、緊急通報装置１は、通報ボタン１０９が押されているか（Ｓ１０２）、周波数変動部１０５のサーモスタット１１２の温度が所定値以下になったか否か（Ｓ１０７）、サーモスタット１１２の温度が所定値以上になったか否か（Ｓ１０９）、電池電圧が所定値以下に低下したか否か（Ｓ１１１）、を常時監視している。
【００２７】
ここで緊急通報信号及び電池切れ通報信号の信号キャリア周波数は、周波数変動部１０５のバリキャップダイオード１１１の容量と緊急通報／電池切れ通報部１０６の水晶振動子１１３、インダクタンス１１４−１、コンデンサ１１５−１及び１１５−２並びにトランジスタ１１６等で構成される発振回路の発振周波数で定められる。
【００２８】
また、サーモスタット１１２について、説明すると、このサーモスタット１１２は、一定の温度範囲では、抵抗値がゼロであるが、周囲温度が低下し、所定の温度範囲を外れるとオープン状態（抵抗値無限大）となる特性を有する。
【００２９】
また、バリキャップダイオード１１１について、説明すると、逆バイアスで使用すると電流は流れないが、印加電圧の平方根に反比例して静電容量が変化すコンデンサと考えることができる。
【００３０】
したがって、通常の温度範囲では、バリキャップダイオード１１１の容量は、近接する二つの抵抗１１０−１と１１０−２の分割電圧で決まった容量となるが、周辺温度が一定の温度範囲を超えて低下するとサーモスタット１１２はオープンとなるので、バリキャップダイオード１１１への印加電圧は、電源電圧となり、バリキャップダイオード１１１の容量は電源電圧できまる容量になる。このバリキャップダイオード１１１の容量偏移によって、上述の発振周波数が大きく偏移することになる。
【００３１】
したがって、通常の温度範囲の周波数が通報先２の受信周波数となるようにし、通常の温度範囲を超えた低温時の周波数が通報先２の受信周波数の範囲外となるように設定することにより、低温時に誤った電池切れ通報が送出されても、通報先２で検知できないようにすることができる。
【００３２】
そこで、緊急通報装置１の置かれた環境の周囲温度が通常の範囲内にあるとき、すなわちサーモスタット１１２が抵抗値ゼロのときに、発振回路で発振するキャリア周波数が、通報先２の受信周波数となるように設定する。
【００３３】
いま、通報ボタン１０９が押下されると（Ｓ１０２、Ｙｅｓ）、サーモスタット１１２は短絡され、抵抗値がゼロとなるので、周囲温度に関係なく、バリキャップダイオード１１１の容量は、二つの抵抗１１０−１及び１１０−２による分圧電圧によって定まり、この状態での発振回路で発振する周波数は、通報先２の受信周波数となる。
【００３４】
従って、通報ボタン１０９が押下されると周波数変動部１０５の周波数偏移機能は、リセット（無効）とされ、緊急通報装置１が通報先２に通知する周波数は、通報先２が受信できる周波数となるので、通常の温度範囲を超える低温時であっても、通報は可能となる（Ｓ１０４）。
【００３５】
実際には、通報ボタン１０９の押下された場合には、レギュレータＩＣ１０２がそれを検出し、電源供給が開始（Ｓ１０３）され、同時に電源供給を受けたＣＰＵ１０４は、緊急信号の作成・送信を周波数変動部１０５経由、緊急通報／電池切れ通報部１０６に通知する。
【００３６】
周波数変動部１０５及び緊急通報／電池切れ通報部１０６は、レギュレータＩＣ１０２より電源供給を受けると信号発振を開始し、送信用の周波数を発生する。
【００３７】
この場合は、通報ボタン１０９が押下されているのでサーモスタット１１２は短絡されているため、発振周波数は、機内温度が常温の範囲にあるとみなした周波数となり、その周波数によって、信号は送られることになる。従って、例え機内温度が低く、ＲＴＣ１０７の起動時には、通報できない温度状態であっても、通報ボタン１０９が押下された場合には、通報先２に緊急通報を送付することができる。
【００３８】
また、緊急通報／電池切れ通報部１０６は、周波数変動部１０５経由でＣＰＵ１０４から受けた情報をもとに発振周波に変調をかけて、通知情報として通報先２にアンテナ１１７を通して情報送信する（Ｓ１０４）。
【００３９】
ＣＰＵ１０４は、緊急通報／電池切れ通報部１０６が信号生成・送信に要する一定時間経過後（Ｓ１０５、Ｙｅｓ）に、ＲＴＣ１０７経由でレギュレータＩＣ１０２に電源供給停止を指示する（Ｓ１０６）。  
【００４０】
一方、通報ボタン１０９が押下されていない状態で、周波数変動部１０５の温度が所定値以下になると（Ｓ１０７、Ｙｅｓ）、サーモスタット１１２はオープン状態になりバリキャップダイオード１１１に印加される電圧値が変わりバリキャップダイオード１１１の容量が変わることにより、発振周波数が偏移し（Ｓ１０８）、通報先２では受信できない周波数となる。したがって、一時的な温度低下による電池電圧の低下を電池切れと誤って信号を受信することがない。
【００４１】
当初より、周波数変動部１０５の温度が所定の温度範囲内ある場合、また、当初は所定の温度範囲外にあってものが、温度が上昇し所定の温度範囲内に入ってきた場合（Ｓ１０９，Ｙｅｓ）には、周波数偏移が無くなり（Ｓ１１０）、緊急通報装置１の送信する周波数が通報先２の受信できる周波数となるため、通報先２は通報信号を受信できる。
【００４２】
電池電圧低下検出部１０３は、電池電圧が所定値以下になると（Ｓ１１１、Ｙｅｓ）、ＣＰＵ１０４に通知し、ＣＰＵ１０４は、周波数変動部１０５を通して、緊急通報／電池切れ通報部１０６に通知する。通知を受けた緊急通報／電池切れ通報部１０６は、ＣＰＵ１０４の指示信号情報をもとに発振周波に変調を掛け、電池切れ通報として、アンテナ１１７より、通報先２に情報送付する（Ｓ１１２）。
【００４３】
環境温度が所定の温度範囲内にある場合は、通報先２は電池切れ通報を受信し、電池切れを認識し、電池交換の準備に入る。一方、所定の温度より低温である場合は、緊急通報装置１から送られてくる信号が通報先２で受信できる周波数より偏移しているため、通報先２では信号を受信することができない。従って、温度低下による一時的な電池の出力電圧低下が発生しても、通報先２が誤って、行動することを防止できる。
【００４４】
以上、本発明を実施する形態について説明した。
本発明を実施する形態によれば、緊急通報装置１は、緊急通報信号または電池切れ信号を送信し、周囲が低温になると通報部から送出される通報信号の周波数を、通報先２の周波数から偏移させる。
【００４５】
これにより、通報先２は、通報信号を受信することができず、低温のために一時的な電池電圧の低下が発生しても、誤って電池切れ情報を受信することがなく、システムとして誤報を防ぐことができる。
【符号の説明】
【００４６】
１・・・緊急通報装置、１０１・・・電池、１０２・・・レギュレータＩＣ、１０３・・・電池電圧低下検出部、１０４・・・ＣＰＵ、１０５・・・周波数変動部、１０６・・・緊急通報／電池切れ通報部、１０７・・・ＲＴＣ、１０８・・・トランジスタスイッチ、１０９・・・通報ボタン、１１０−１、１１０−２、１１０−３・・・抵抗、１１１・・・バリキャップダイオード、１１２・・・サーモスタット、１１３・・・水晶振動子、１１４−１、１１４−２、１１４−３・・・インダクタンス、１１５−１、１１５−２・・・コンデンサ、１１６・・・トランジスタ、１１７・・・アンテナ、２・・・通報先。
【図１】
2019033459.tif 000003
【図２】
2019033459.tif 000004
【図３】
2019033459.tif 000005